(57)【要約】      （修正有）【課題】操作荷重を大きいものとせず、かつ、押下点の位置が多少ずれたとしても、安定して２つの接点をＯＮさせることが可能なメンブレンスイッチを提供する。【解決手段】２重接点型のメンブレンスイッチにおいて、上部接点シート５の接点パターン及び前記下部接点シート６の接点パターンのそれぞれを４以上の偶数に分割した略扇型に形成され、互いに隣り合う接点同士が異なる接点に接続されている。接点パターンを細かく分割することにより、押下点が中心から多少ずれたとしても、２つの接点を確実にＯＮすることができる。【選択図】図１
0003179471.tif 000002
【実用新案登録請求の範囲】
【請求項１】
略円形の接点パターンが設けられた上部接点シートと、該上部接点シートの接点パターンの位置に対向して接点パターンが設けられた下部接点シートと、前記上部接点シートと前記下部接点シートとの間に設けられるスペーサを有し、上部からの押圧で前記上部接点シートの接点パターンと前記下部接点シートの接点パターンを接触させることにより、信号を出力するメンブレンスイッチにおいて、
前記上部接点パターンに対し、電気的に独立した２つの接点を有し、前記上部接点シートの接点パターン及び前記下部接点シートの接点パターンのそれぞれを４以上の偶数に分割した略扇型に形成し、該扇形の接点パターンの隣り合うパターンが異なる接点に接続されていることを特徴とするメンブレンスイッチ。
【考案の詳細な説明】
【技術分野】
【０００１】
本考案は、旋盤等の工作機械の操作盤等に用いられ、１ボタンに２つの接点を有するメンブレンスイッチに関する。
【背景技術】
【０００２】
旋盤等の工作機械の操作盤等に用いられるスイッチとして、メンブレンスイッチが用いられることがある。メンブレンスイッチには、１ボタンに１つの接点を有するタイプのスイッチもあるが、１度のスイッチ動作で異なる複数の信号を供給する場合などには、１ボタンに２つの接点を有するメンブレンスイッチも用いられる。
特許文献１，２には、従来の１ボタンに２つの接点を有するメンブレンスイッチが開示されている。
【０００３】
図５は、特許文献１に開示されているメンブレンスイッチを示す図である。このメンブレンスイッチは、可撓性を有する電気絶縁性の２枚のメンブレンシート１の間に互いに間隔を空けた２枚のスペーサ２を介在させ、２枚のスペーサ２間に形成される空間部に第１の接点３を設けたものを作成し、同様の構成で空間部に第２の接点４を設けたものを作成した後に、第１の接点３と第２の接点４が上下方向の位置が対応するように上下２段に重ねた構成とされている。
【０００４】
また、図６は特許文献２に開示されている、別の従来例であるメンブレンスイッチを示す図である。このメンブレンスイッチは、図５に示されているメンブレンスイッチと基本的な構成は同じであるが、第２の接点４の接触面の広さが、第１の接点３と比較して広く構成されている。
【０００５】
さらに別の従来例としては、図７に示される形状のメンブレンスイッチも用いられている。図７（ａ）は、第１の接点３と第２の接点４とを同一面上に並べた２重接点型メンブレンスイッチの平面図であり、図７（ｂ）はその断面図である。可撓性を有する電気絶縁性の２枚のメンブレンシート１の間に互いに間隔を空けた２枚のスペーサ２を介在させ、２枚のスペーサ２間に形成される空間部に第１の接点３及び第２の接点４を設けた構成とされている。図７（ａ）に示されているように、第１の接点３と第２の接点４はそれぞれ平面図において半円状の形状をなして、それぞれの半円状の直線部分が対向するように配置されており、全体として円を半分に切断してわずかな間隔を空けたような配置となっている。
【先行技術文献】
【特許文献】
【０００６】
【特許文献１】実開平１−１２６０２９号公報
【特許文献２】特公平４−７５６０９号公報
【考案の概要】
【考案が解決しようとする課題】
【０００７】
図５に開示されているメンブレンスイッチは、１度のスイッチ動作によって、２つの接点を同時にＯＮさせる構造である。かかるメンブレンスイッチにおいては、上側に位置する第１の接点３については比較的容易にＯＮするが、第１の接点３と第２の接点４との間にメンブレンシート１が介在することにより、上面からの操作荷重が弱められてしまい、第２の接点４については容易にＯＮとならない場合があるという問題点がある。
【０００８】
図６に開示されているメンブレンスイッチは、第２の接点４の接触面の広さが、第１の接点３の接触面の広さと比較して広く構成されているため、上面から操作荷重を加えた場合に、図５に示されたメンブレンスイッチと比較して第２の接点４は容易にＯＮとなるが、通常の１段構造のメンブレンスイッチと比較すると、依然として大きな操作荷重が必要とされる。
【０００９】
図７に開示されているメンブレンスイッチは、接点を同一面上に２つ並べて構成されているため、図５や図６に示されている２段構造のメンブレンスイッチと比較して、操作荷重は少なくてすむが、図８に示されているように、メンブレンスイッチの押下点７が中心からずれた場合（図８においては、接点部の中心位置から、押下点７の中心位置が縦方向に距離Ａずれている）には、第１の接点３のみがＯＮしてしまうという問題点がある。
【００１０】
そこで、本考案は、上記従来技術の問題点に鑑み、操作荷重を大きいものとせず、かつ、押下点の位置が多少ずれたとしても、安定して２つの接点をＯＮさせることが可能なメンブレンスイッチを提供することを課題とする。
【課題を解決するための手段】
【００１１】
本願の請求項１に係る考案は、略円形の接点パターンが設けられた上部接点シートと、該上部接点シートの接点パターンの位置に対向して接点パターンが設けられた下部接点シートと、前記上部接点シートと前記下部接点シートとの間に設けられるスペーサを有し、上部からの押圧で前記上部接点シートの接点パターンと前記下部接点シートの接点パターンを接触させることにより、信号を出力するメンブレンスイッチにおいて、前記上部接点パターンに対し、電気的に独立した２つの接点を有し、前記上部接点シートの接点パターン及び前記下部接点シートの接点パターンのそれぞれを４以上の偶数に分割した略扇型に形成し、該扇形の接点パターンの隣り合うパターンが異なる接点に接続されていることを特徴とするメンブレンスイッチである。
【考案の効果】
【００１２】
本考案により、大きな操作荷重が必要でなく、押下点の位置が多少ずれたとしても、安定して２つの接点をＯＮさせることができるメンブレンスイッチを提供できる。
【図面の簡単な説明】
【００１３】
【図１】図１（ａ）は、本考案の２重接点型のメンブレンスイッチにおいて、接点を４分割した実施形態を説明する平面図、図１（ｂ）は図１（ａ）のＡ−Ａ’線で切断した断面図である。
【図２】図２は、本発明の２重接点型のメンブレンスイッチで接点を４分割した実施形態において、押下点が縦にずれたときの状態を説明する平面図である。
【図３】図３は、本発明の２重接点型のメンブレンスイッチで接点を４分割した実施形態において、押下点が斜めにずれたときの状態を説明する平面図である。
【図４】図４は、本考案の２重接点型のメンブレンスイッチにおいて、接点を６分割した実施形態を説明する平面図である。
【図５】図５は、特許文献１に示した従来のメンブレンスイッチを２段重ねにしたタイプの２重接点型メンブレンスイッチの断面図である。
【図６】図６は、特許文献２に示した従来のメンブレンスイッチであって、下段の接点の接触面の広さを上段の接点の接触面の広さと比較して広くしたメンブレンスイッチの断面図である。
【図７】図７（ａ）は、接点を同一面上に２つ並べた２重接点型のメンブレンスイッチの平面図、図７（ｂ）は同断面図である。
【図８】図８は、図７に示した接点を同一平面上に２つ並べた２重接点型メンブレンスイッチにおいて、押下点がずれたときの状態を説明する平面図である。
【考案を実施するための形態】
【００１４】
以下、本考案について図を参照して説明する。なお、従来技術と同じ若しくは類似する構成について同じ符号を用いて説明する。
図１（ａ）は、本発明の２重接点型のメンブレンスイッチにおいて、接点を４分割した実施形態を説明する平面図、図１（ｂ）は図１（ａ）のＡ−Ａ’線で切断した断面図である。図１（ａ）には上部接点シート５の接点パターンが示されており、各接点は、略円形上の接点部が４つの略同形の扇型に分割され、互いに隣り合う接点同士が異なる接点に接続されている。また、図１（ｂ）に示されているように、上部接点シート５の下部には、上部接点シート５と同形状の接点パターンが形成された下部接点シート６が配置されており、上部から押下力を加えることにより、対応する上部接点シート５の接点と下部接点シート６の接点が導通してＯＮとなるよう構成されている。図１（ａ）では、図示しない配線により互いが接続されている接点３１及び接点３２によって第１の接点３が構成されており、接点３１、接点３２のいずれかが導通すると、第１の接点３がＯＮ状態となる構成とされている。同様に、図示しない配線により互いが接続されている接点４１及び接点４２によって第２の接点４が構成されており、接点４１、接点４２のいずれかが導通すると、第２の接点４がＯＮ状態となる構成とされている。
【００１５】
本実施形態において、押下点の位置がずれた場合の状態を、図２及び図３に基づいて説明する。図２は、接点部全体の中心位置から、押下点７の中心位置が縦方向に距離Ａずれている状態を示す説明図である。従来は、図８に示されているように、押下点がずれた場合には、第１の接点３のみがＯＮとなってしまう状態となっていたが、本実施形態においては、押下点７がずれても、接点３１及び接点４１がＯＮとなることにより、第１の接点３、第２の接点４のいずれもＯＮとなり、一方の接点のみがＯＮとなってしまうことが発生しない。
【００１６】
図３は、接点部全体の中心位置から、押下点７の中心位置が右上方向に距離Ａずれている状態を示す説明図である。この場合においても、押下点７がずれても、接点３１、接点３２、接点４１がＯＮとなることにより、第１の接点３、第２の接点４のいずれもＯＮとなり、一方の接点のみがＯＮとなってしまうことが発生しない。
【００１７】
図４は、本発明の２重接点型のメンブレンスイッチの別の実施形態であって、接点を６分割した例を説明する平面図である。図１（ａ）と同様に、図４には上部接点シート５の接点パターンが示されており、各接点は、略円形上の接点部が６つの略同形の扇型に分割され、互いに隣り合う接点同士が異なる接点に接続されている。また、上部接点シート５の下部には、上部接点シート５と同形状の接点パターンが形成された図示しない下部接点シート６が配置されており、上部から押下力を加えることにより、上部接点シート５の接点と下部接点シート６の接点が導通してＯＮとなるよう構成されている。図４では、図示しない配線により互いが接続されている接点３３、接点３４及び接点３５によって第１の接点３が構成されており、接点３３、接点３４、接点３５のいずれかひとつの接点が導通すると、第１の接点３がＯＮ状態となる構成とされている。同様に、図示しない配線により互いが接続されている接点４３、接点４４及び接点４５によって第２の接点４が構成されており、接点４３、接点４４、接点４５のいずれかひとつの接点が導通すると、第２の接点４がＯＮ状態となる構成とされている。
【００１８】
本実施形態では、接点の分割パターンとして、４分割及び６分割とした例で説明したが、分割数としては４分割か６分割に限られたものではなく、接点パターンの隣り合うパターンが異なる接点に接続されているものであれば、さらに多くの偶数の分割数であってもよい。
また、本実施形態では分割された接点パターンのそれぞれが略同形状となる例で説明したが、必ずしも略同形状である必要はなく、互いに形状の異なる扇型形状であってもよい。
【符号の説明】
【００１９】
１    メンブレンシート
２    スペーサ
３    第１の接点
３１〜３５  （第１の接点を構成する）接点
４    第２の接点
４１〜４５  （第２の接点を構成する）接点
５    上部接点シート
６    下部接点シート
７    押下点
【図１】
0003179471.tif 000003
【図２】
0003179471.tif 000004
【図３】
0003179471.tif 000005
【図４】
0003179471.tif 000006
【図５】
0003179471.tif 000007
【図６】
0003179471.tif 000008
【図７】
0003179471.tif 000009
【図８】
0003179471.tif 000010